(57)【要約】【課題】郵便物等の媒体に記載の情報に対する盗み見の防止を容易に行える印刷装置、印刷方法およびプログラムを提供する。【解決手段】印刷装置は、被印刷媒体に記録された第１情報を読み取る情報読取手段と、第２情報を記憶する記憶手段と、情報読取手段が読み取った第１情報が、記憶手段に記憶されている第２情報と一致する一致情報を有する場合、被印刷媒体に記録された一致情報の少なくとも一部に印刷を行う印刷手段と、を含む。【選択図】図１
2013046969.tif 000002
【特許請求の範囲】
【請求項１】
被印刷媒体に記録された第１情報を読み取る情報読取手段と、
第２情報を記憶する記憶手段と、
前記情報読取手段が読み取った前記第１情報が、前記記憶手段に記憶されている前記第２情報と一致する一致情報を有する場合、前記被印刷媒体に記録された一致情報の少なくとも一部に印刷を行う印刷手段と、を含む印刷装置。
【請求項２】
請求項１に記載の印刷装置において、
前記印刷手段は、前記情報読取手段が読み取った前記第１情報が前記一致情報を有する場合、前記被印刷媒体に記録された一致情報を塗りつぶす印刷、または、前記被印刷媒体に記録された一致情報に、所定の間隔をあけて並べられた複数の所定の線または１本の所定の線を重ねる印刷を行う、印刷装置。
【請求項３】
請求項１または２に記載の印刷装置において、
前記記憶手段は、前記情報読取手段が、情報入力用媒体から読み取った第２情報を記憶する、印刷装置。
【請求項４】
請求項１から３のいずれか１項に記載の印刷装置において、
前記情報読取手段が前記被印刷媒体から読み取った第１情報が、前記一致情報を有さない場合、その旨を表示する表示手段をさらに含む、印刷装置。
【請求項５】
印刷装置での印刷方法であって、
被印刷媒体に記録された第１情報を読み取る情報読取ステップと、
第２情報を記憶手段に記憶する記憶ステップと、
前記情報読取ステップで読み取った前記第１情報が、前記記憶手段に記憶されている前記第２情報と一致する一致情報を有する場合、前記被印刷媒体に記録された一致情報の少なくとも一部に印刷を行う印刷ステップと、を含む印刷方法。
【請求項６】
被印刷媒体に記録された第１情報を読み取る情報読取手段と、第２情報を記憶する記憶手段と、印刷手段と、に接続したコンピュータに、
前記情報読取手段が読み取った第１情報が、前記記憶手段に記憶されている第２情報と一致する一致情報を有する場合、前記被印刷媒体に記録された一致情報の少なくとも一部に印刷手段で印刷を行う印刷手順を実行させるためのプログラム。
【発明の詳細な説明】
【技術分野】
【０００１】
本発明は、印刷装置、印刷方法およびプログラムに関し、例えば、被印刷媒体に記録された情報の漏えいを防止可能な印刷装置、印刷方法およびプログラムに関する。
【背景技術】
【０００２】
現在、個人情報等の情報の保護について関心が高まっている。
【０００３】
特許文献１には、紙文書に記載された個人情報等の情報に対する処理（例えば、カラー複写、モノクロ複写）を禁止できる文書処理システムが記載されている。
【先行技術文献】
【特許文献】
【０００４】
【特許文献１】特開２００８−８５８２０号公報
【発明の概要】
【発明が解決しようとする課題】
【０００５】
特許文献１に記載の文書処理システムは、紙文書に記載された情報に対する処理を禁止できるが、紙文書に記載された情報（例えば、住所や名前）に対する第三者の盗み見を防止できない。
【０００６】
郵便物等の媒体に記載の情報（例えば、住所や名前等の個人情報）に対する盗み見を防止するためには、人が、郵便物等の媒体をシュレッダで細断したり、郵便物等の媒体に記載の住所や名前等の情報を黒マジック等で塗りつぶしたり、郵便物等の媒体をはさみで細かく切り刻んでいた。このため、媒体に記載の情報に対する盗み見を防止するためには、手間が非常にかかるという課題があった。
【０００７】
本発明の目的は、上記課題を解決可能な印刷装置、印刷方法およびプログラムを提供することである。
【課題を解決するための手段】
【０００８】
本発明の印刷装置は、被印刷媒体に記録された第１情報を読み取る情報読取手段と、
第２情報を記憶する記憶手段と、
前記情報読取手段が読み取った前記第１情報が、前記記憶手段に記憶されている前記第２情報と一致する一致情報を有する場合、前記被印刷媒体に記録された一致情報の少なくとも一部に印刷を行う印刷手段と、を含む。
【０００９】
本発明の印刷方法は、印刷装置での印刷方法であって、
被印刷媒体に記録された第１情報を読み取る情報読取ステップと、
第２情報を記憶手段に記憶する記憶ステップと、
前記情報読取ステップで読み取った前記第１情報が、前記記憶手段に記憶されている前記第２情報と一致する一致情報を有する場合、前記被印刷媒体に記録された一致情報の少なくとも一部に印刷を行う印刷ステップと、を含む。
【００１０】
本発明のプログラムは、被印刷媒体に記録された第１情報を読み取る情報読取手段と、第２情報を記憶する記憶手段と、印刷手段と、に接続したコンピュータに、
前記情報読取手段が読み取った第１情報が、前記記憶手段に記憶されている第２情報と一致する一致情報を有する場合、前記被印刷媒体に記録された一致情報の少なくとも一部に印刷手段で印刷を行う印刷手順を実行させる。
【発明の効果】
【００１１】
本発明によれば、郵便物等の媒体に記載の情報に対する盗み見を防止することを容易に行うことが可能になる。
【図面の簡単な説明】
【００１２】
【図１】本発明の一実施形態の印刷装置１００を示したブロック図である。
【図２】個人情報入力用紙の一例を示した図である。
【図３】個人情報入力用紙２００から個人情報を読み取る動作を説明するためのフローチャートである。
【図４】はがきに記録された個人情報が読み取れなくなるように、その個人情報に重ねて印刷を行う動作を説明するためのフローチャートである。
【図５】個人情報を表す文字が黒色に塗りつぶされた指定はがきの一例を示した図である。
【図６】スキャナー３と記憶部４と印刷実行部８とからなる印刷装置を示した図である。
【発明を実施するための形態】
【００１３】
以下、本発明の実施形態について図面を参照して説明する。
【００１４】
図１は、本発明の一実施形態の印刷装置１００を示したブロック図である。
【００１５】
印刷装置１００は、入力部１と、給紙搬送部２と、スキャナー３と、記憶部４および５と、表示部６と、プログラム格納部７と、印刷実行部８と、を含む。印刷実行部８は、プリンタ部８１と、制御部８２と、を含む。
【００１６】
入力部１は、印刷装置１００のユーザの種々の入力を受け付ける。
【００１７】
給紙搬送部２には、個人情報を入力するための用紙（以下「個人情報入力用紙」と称する）やはがきが挿入される。給紙搬送部２は、個人情報入力用紙やはがきを、スキャナー３やプリンタ部８１に供給する。はがきは、被印刷媒体の一例である。個人情報入力用紙は、情報入力用媒体の一例である。
【００１８】
図２は、個人情報入力用紙の一例を示した図である。
【００１９】
図２において、個人情報入力用紙２００は、郵便番号入力欄２０１と、宛先住所入力欄２０２と、宛名入力欄２０３と、差出人住所氏名入力欄２０４と、を有する。
【００２０】
郵便番号入力欄２０１と宛先住所入力欄２０２と宛名入力欄２０３と差出人住所氏名入力欄２０４の各々には、入力欄に対応する個人情報（郵便番号、宛先住所、宛名または差出人住所氏名）が文字で記録される。なお、入力欄に対応する個人情報は、文字にて表された情報であり、第２情報の一例である。以下、郵便番号入力欄と宛先住所入力欄と宛名入力欄と差出人住所氏名入力欄の各々を、単に「入力欄」とも称する。なお、個人情報入力用紙は、図２に示したものに限らず適宜変更可能である。
【００２１】
スキャナー３は、情報読取手段の一例である。
【００２２】
スキャナー３は、給紙搬送部２から供給された個人情報入力用紙２００およびはがきの各々から、文字にて表された各情報（例えば、住所および氏名）を読み取る。なお、はがきに文字にて表された各情報は、第１情報の一例である。例えば、スキャナー３は、個人情報入力用紙２００内の各入力欄２０１〜２０４に記録された情報（郵便番号、宛先住所、宛名または差出人住所氏名）を読み取る。
【００２３】
また、スキャナー３は、読み取られた情報ごとに、その情報を表す各文字をテキストデータで表すテキスト情報を出力する。
【００２４】
記憶部４は、記憶手段の一例である。
【００２５】
記憶部４は、スキャナー３が個人情報入力用紙２００から読み取った情報を表すテキスト情報（例えば、郵便番号を表すテキスト情報、住所を表すテキスト情報、および、氏名を表すテキスト情報）を記憶する。
【００２６】
記憶部５は、スキャナー３がはがきから読み取った情報を表すテキスト情報を記憶する。
【００２７】
表示部６は、表示手段の一例である。
【００２８】
表示部６は、種々の表示を実行する。例えば、表示部６は、スキャナー３がはがきから読み取った情報（テキスト情報）が、記憶部４に記憶されているテキスト情報のいずれと一致する情報（以下「一致情報」と称する）を有さない場合、記憶部４に記憶されている情報に該当する情報が無い旨を表示する。
【００２９】
プログラム格納部７は、コンピュータにて読み取り可能な記録媒体の一例である。
【００３０】
プログラム格納部７は、制御部８２の動作を規定するプログラムを格納する。
【００３１】
印刷実行部８は、印刷手段の一例である。
【００３２】
印刷実行部８は、種々の印刷を実行する。例えば、印刷実行部８は、スキャナー３がはがきから読み取った情報が一致情報を有する場合、はがきに記録された一致情報の少なくとも一部に印刷を行う。
【００３３】
プリンタ部８１は、種々の印刷を行う。例えば、プリンタ部８１は、給紙搬送部２から供給されたはがきに種々の印刷を行う。
【００３４】
制御部８２は、例えば、コンピュータであり、プログラム格納部７内のプログラムを読み取り実行して、印刷装置１００の動作を制御する。なお、制御部８２は、専用のハードウェアでもよい。
【００３５】
次に、動作を説明する。
【００３６】
まず、個人情報入力用紙２００から個人情報を読み取る動作を説明する。
【００３７】
図３は、個人情報入力用紙２００から個人情報を読み取る動作を説明するためのフローチャートである。
【００３８】
ユーザが、給紙搬送部２に個人情報入力用紙２００を挿入し、入力部１を操作して、入力部１に、個人情報を登録する旨の登録指示を入力すると、入力部１は、登録指示を受け付け（ステップＡ１）、その登録指示を制御部８２に出力する。
【００３９】
制御部８２は、登録指示を受け付けると、給紙搬送部２に、給紙搬送部２内の媒体（この場合、個人情報入力用紙２００）をスキャナー３に供給する旨の第１供給指示を出力する。
【００４０】
給紙搬送部２は、第１供給指示を受け付けると、給紙搬送部２内の個人情報入力用紙２００をスキャナー３に供給する。
【００４１】
制御部８２は、第１供給指示を出力してから第１所定時間経過後に、スキャナー３に、個人情報入力用紙２００に記録された個人情報を読み取る旨の第１読取指示を出力する。なお、第１所定時間は、給紙搬送部２が第１供給指示を受け付けてから個人情報入力用紙２００をスキャナー３に供給するまでに要する時間以上の時間である。
【００４２】
スキャナー３は、第１読取指示を受け付けると、給紙搬送部２から供給された個人情報入力用紙２００内の各入力欄２０１〜２０４に記録された個人情報（郵便番号、宛先住所、宛名または差出人住所氏名）の読み取りを開始する（ステップＡ２）。
【００４３】
スキャナー３は、入力欄２０１〜２０４の各々から個人情報を読み取るごとに、その個人情報を表すテキスト情報を制御部８２に出力する。また、スキャナー３は、入力欄２０１〜２０４の各々から個人情報を読み取りながら、個人情報の読み取りが終了した入力欄の個数を表す個数情報を制御部８２に出力する。
【００４４】
制御部８２は、スキャナー３での個人情報の読み取りが完了するまで、スキャナー３での個人情報の読み取りの進捗度を表す進捗度情報を表示部６に表示する（ステップＡ３）。例えば、制御部８２は、予め個人情報入力用紙２００内の入力欄の全個数を記憶しており、スキャナー３からの個数情報が表す個数を入力欄の全個数で割った値を、進捗度を表す進捗度情報として表示部６に表示してもよい。
【００４５】
その後、スキャナー３での読み取りが完了すると、スキャナー３は、個人情報入力用紙２００内の入力欄の全個数を表す個数情報を制御部８２に出力する。
【００４６】
制御部８２は、個人情報入力用紙２００内の入力欄の全個数を表す個数情報を受け付けると、読み取りが完了した旨を表示部６に表示する（ステップＡ４）。
【００４７】
続いて、制御部８２は、スキャナー３からの個人情報を表すテキスト情報を、記憶部４に記憶する（ステップＡ５）。
【００４８】
続いて、制御部８２は、個人情報入力用紙２００を排出する旨の第１排出指示を、給紙搬送部２に出力する。給紙搬送部２は、第１排出指示を受け付けると、個人情報入力用紙２００を印刷装置１００から排出する（ステップＡ６）。
【００４９】
次に、はがきに記録された個人情報が読み取れなくなるように、その個人情報に重ねて印刷を行う動作を説明する。
【００５０】
図４は、はがきに記録された個人情報が読み取れなくなるように、その個人情報に重ねて印刷を行う動作を説明するためのフローチャートである。
【００５１】
ユーザが、給紙搬送部２にはがきを挿入し、入力部１を操作して、印刷を実行する旨の印刷実行指示を入力すると、入力部１は、印刷実行指示を受け付け（ステップＢ１）、その印刷実行指示を制御部８２に出力する。
【００５２】
制御部８２は、印刷実行指示を受け付けると、給紙搬送部２に、給紙搬送部２内のはがき（以下「指定はがき」と称する）をスキャナー３に供給する旨の第２供給指示を出力する。
【００５３】
給紙搬送部２は、第２供給指示を受け付けると、給紙搬送部２内の指定はがきをスキャナー３に供給する。
【００５４】
制御部８２は、第２供給指示を出力してから第２所定時間経過後に、スキャナー３に、指定はがきに記録された情報を読み取る旨の第２読取指示を出力する。なお、第２所定時間は、給紙搬送部２が第２供給指示を受け付けてから指定はがきをスキャナー３に供給するまでに要する時間以上の時間である。
【００５５】
スキャナー３は、第２読取指示を受け付けると、給紙搬送部２から供給された指定はがきに記録され文字にて表された情報の読み取りを開始する（ステップＢ２）。
【００５６】
スキャナー３は、指定はがきから情報を読み取るごとに、その情報を表すテキスト情報と、そのテキスト情報の元になった個々の文字が指定はがき内に存在する領域を表す位置情報とを、制御部８２に出力する。なお、領域は、所定の形状（例えば、円、楕円または矩形）で規定される。
【００５７】
制御部８２は、テキスト情報と位置情報とを受け付けるごとに、テキスト情報と位置情報とを互いに関連づけて記憶部５に記憶する（ステップＢ３）。
【００５８】
その後、スキャナー３での読み取りが完了すると（ステップＢ４）、スキャナー３は、読み取りが完了した旨の完了情報を制御部８２に出力する。
【００５９】
制御部８２は、完了情報を受け付けると、記憶部５内のテキスト情報のそれぞれについて、記憶部４内のテキスト情報のいずれかと一致している情報（一致情報）を有しているかを判断する（ステップＢ５）。
【００６０】
一致情報を有するテキスト情報が記憶部５内に存在する場合、制御部８２は、給紙搬送部２に、指定はがきをプリンタ部８１に供給する旨の第３供給指示を出力する。
【００６１】
給紙搬送部２は、第３供給指示を受け付けると、指定はがきをプリンタ部８１に供給する。
【００６２】
制御部８２は、第３供給指示を出力すると、記憶部５において一致情報を有するテキスト情報に関連づけられた位置情報の中から、一致情報を構成するテキストデータにて特定される文字の位置情報を読み取り、その位置情報が示す指定はがき内の領域、つまり、一致情報の元になった文字が存在する指定はがき内の領域を黒色で塗りつぶす印刷を実行する旨の印刷指示を、プリンタ部８１に出力する。
【００６３】
なお、複数の一致情報が存在する場合、制御部８２は、一致情報ごとに、一致情報を構成するテキストデータにて特定される文字の位置情報を記憶部５から読み取り、各位置情報が示す指定はがき内の領域を黒色で塗りつぶす印刷を実行する旨の印刷指示を、プリンタ部８１に出力する。
【００６４】
プリンタ部８１は、印刷指示を受け付けると、給紙搬送部２から供給された指定はがき内の位置情報が示す領域を黒色で塗りつぶす印刷、つまり、一致情報を構成するテキストデータにて特定される指定はがき内の文字を黒色で塗りつぶす印刷を実行する（ステップＢ６）。
【００６５】
プリンタ部８１は、印刷指示に従った印刷を終了すると、指定はがきを印刷装置１００から排出する（ステップＢ７）。
【００６６】
一方、ステップＢ５において、一致情報を有するテキスト情報が記憶部５内に存在しない場合、制御部８２は、記憶部４に記憶されている情報に該当する情報が無い旨の表示（例えば「該当する個人情報はありません」という表示）を表示部６に表示する（ステップＢ８）。
【００６７】
続いて、制御部８２は、指定はがきを排出する旨の第２排出指示を、給紙搬送部２に出力する。給紙搬送部２は、第２排出指示を受け付けると、指定はがきを印刷装置１００から排出する（ステップＢ７）。
【００６８】
図５は、個人情報を表す文字が黒色に塗りつぶされた指定はがきの一例を示した図である。
【００６９】
図５に示した指定はがき３００には、記憶部４に記憶された、郵便番号、住所、宛名、および、住所氏名が、それぞれ、領域３０１〜３０４に文字で記録されていたとする。このため、領域３０１〜３０４内の各文字が、印刷装置１００にて黒色に塗りつぶされている。
【００７０】
なお、印刷装置１００は、指定はがき３００に記録された情報のうち、記憶部４に記憶された情報（テキスト情報）と異なる情報については、黒色で塗りつぶさない。
【００７１】
次に、本実施形態の効果を説明する。
【００７２】
本実施形態によれば、スキャナー３は、はがきに記録され文字にて表された情報（第１情報）を読み取る。記憶部４は、文字にて表された情報（第２情報）を記憶する。印刷実行部８は、スキャナー３が読み取った情報が、記憶部４に記憶されている情報と一致する一致情報を有する場合、はがきに記録された一致情報の少なくとも一部に印刷を行う。
【００７３】
このため、はがきに記録され文字にて表された情報のうち、記憶部４に記憶されている情報と一致する一致情報に対して、自動的に印刷が行われる。よって、一致情報を認識し難く状態に自動的にすることが可能になる。したがって、郵便物等の媒体に記載の情報に対する盗み見を防止するために人が行っていた作業の手間を軽減することが可能になる。なお、この効果は、スキャナー３と記憶部４と印刷実行部８とからなる印刷装置でも奏する。図６は、スキャナー３と記憶部４と印刷実行部８とからなる印刷装置を示した図である。
【００７４】
また、本実施形態では、印刷実行部８は、スキャナー３がはがきから読み取った情報が一致情報を有する場合、はがきに記録されスキャナー３にて読み取られた一致情報を塗りつぶす印刷を行う。このため、はがきに記録されスキャナー３にて読み取られた一致情報を、自動的に、認識不能な状態にすることができる。
【００７５】
なお、印刷実行部８は、スキャナー３がはがきから読み取った情報が一致情報を有する場合、はがきに記録されスキャナー３にて読み取られた一致情報に、所定の間隔（例えば０．５ｍｍ間隔）をあけて並べられた複数の所定の線（例えば、波線）を重ねる印刷を行ってもよい。
【００７６】
例えば、制御部８２が、スキャナー３がはがきから読み取った情報が一致情報を有する場合、一致情報の元になった文字が存在する指定はがき内の領域に、所定の間隔をあけて並べられた黒色の複数の所定の線を重ねる印刷を実行する旨の線印刷指示を、プリンタ部８１に出力する。そして、プリンタ部８１が、その線印刷指示に従った印刷を実行する。
【００７７】
この印刷が行われると、はがきに記録された一致情報を塗りつぶす場合に比べて、印刷に用いられるトナーを少なくすることが可能になる。なお、所定の間隔は０．５ｍｍ間隔に限るものではなく適宜変更可能である。また、所定の線は波線に限るものではなく、例えば直線でもよく適宜変更可能である。また、所定の間隔をあけて並べられた複数の所定の線の代わりに、１本の所定の線（例えば、波線または直線）が設けられてもよい。
【００７８】
また、本実施形態では、記憶部４は、スキャナー３が個人情報入力用紙２００から読み取った文字にて表された情報を記憶する。このため、スキャナー３がはがきから読み取った情報と比較される記憶部４内の情報も、スキャナー３にて生成されるため、比較される情報間におけるスキャナー３の読み取り特性に伴うばらつきを相殺することが可能にある。
【００７９】
また、本実施形態では、表示部６は、スキャナー３がはがきから読み取った情報が一致情報を有さない場合、記憶部４に記憶されている情報に該当する情報が無い旨を表示する。このため、印刷装置１００のユーザは、はがきに一致情報が存在しないことを容易に認識することが可能になる。
【００８０】
なお、上記実施形態では、プリンタ部８１は黒色で印刷を行ったが、印刷の色は黒色に限らず適宜変更可能である。
【００８１】
また、上記実施形態では、記憶部４内の情報として、個人情報が用いられたが、記憶部４内の情報は、個人情報に限らず適宜変更可能である。例えば、秘密情報が記憶部４に記憶されてもよい。
【００８２】
また、上記実施形態では、印刷実行部８が文字単位で印刷を行ったが、印刷実行部８は、一致情報の元になった文字が複数存在する場合、それらの文字のはがき内の領域を含む所定範囲（例えば、住所部分や名前部分）を、所定の形状（例えば、長方形）で塗りつぶしてもよい。
【００８３】
また、上記実施形態では、スキャナー３は、個人情報入力用紙２００およびはがきの各々から文字にて表された情報を読み取り、記憶部４は、文字にて表された情報を記憶したが、スキャナー３が個人情報入力用紙２００およびはがきの各々から読み取る情報（第１情報）、および、記憶部４に記憶される情報（第２情報）は、文字にて表された情報に限らず、画像にて表された情報（例えば、顔の画像情報）でもよいし、文字と画像にて表された情報でもよい。
【００８４】
また、上記実施形態では、記憶部４は、スキャナー３が個人情報入力用紙２００から読み取った情報を記憶したが、記憶部４は、ネットワーク経由で送られた情報を記憶してもよいし、ＳＤカード等の不揮発性メモリーカードから読み取られた情報を記憶してもよい。
【００８５】
また、上記実施形態では、被印刷媒体として、はがきが用いられたが、被印刷媒体ははがきに限らず適宜変更可能である。例えば、被印刷媒体として、手紙、または、個人情報や秘密情報が記録されている媒体が用いられてもよい。
【００８６】
また、上記実施形態では、給紙搬送部２は、スキャナー３からプリンタ部８１への供給機能を備えていたが、給紙搬送部２は、スキャナー３とプリンタ部８１とのそれぞれにしか給紙できず、スキャナー３からプリンタ部８１への供給機能を備えていなくてもよい。この場合、例えば、制御部８２は、スキャナー３での読み取りが完了すると、表示部６に、指定はがきをプリンタ部８１（プリンタ部８１の給紙部）に移動する旨を表示して、ユーザに、スキャナー３のからプリンタ部８１（プリンタ部８１の給紙部）に指定はがきを移動させることが望ましい。
【００８７】
なお、印刷装置１００は、入力部１と給紙搬送部２とスキャナー３と表示部６とプリンタ部８１が接続されたコンピュータにて実現されてもよい。この場合、このコンピュータは、コンピュータにて読み取り可能な記録媒体に記録されたプログラムを読込み実行して、記憶部４、記憶部５、プログラム格納部７および制御部８２として機能する。
【００８８】
以上説明した実施形態において、図示した構成は単なる一例であって、本発明はその構成に限定されるものではない。
【符号の説明】
【００８９】
１００  印刷装置
１      入力部
２      給紙搬送ユニット
３      スキャナー
４、５  記憶部
６      表示部
７      プログラム格納部
８      印刷実行部
８１    プリンタ部
８２    制御部
【図１】
2013046969.tif 000003
【図２】
2013046969.tif 000004
【図３】
2013046969.tif 000005
【図４】
2013046969.tif 000006
【図５】
2013046969.tif 000007
【図６】
2013046969.tif 000008